(57)【要約】【課題】長期間使用しても、背負いベルトがランドセルの側襠の側に移動しにくいベルト取付け具およびランドセルを提供する。【解決手段】ランドセルの底面に取り付けられるベース１１と、そのベースに対し垂直方向の回動軸Ｊ回りに回動自在に設けた左右一対のカップ状の回動部材１２と、それぞれの回動部材に対し、回動中心と直交する揺動軸Ｌ回りに揺動自在に設けられるＣ字状のベルト連結鐶１３とを備え、背負いベルトが所定の角度より外側に拡がらないように、それぞれの回動部材１２の外向きの回転を規制するストッパ機構を備えており、ベルト連結鐶１３の縦杆１３ｂ、１３ｃと横杆１３ｄのなすコーナ部の角度θ１、θ２が、外側（θ１）では鋭角で、内側（θ２）では鈍角である背負いベルト取付け具１０。【選択図】図１
2015144657.tif 000002
【特許請求の範囲】
【請求項１】
ランドセルの底面に取り付けられるベースと、そのベースに対し垂直方向の軸回りに回動自在に設けた左右一対のカップ状の回動部材と、それぞれの回動部材に対し、回動中心と直交する軸の回りに揺動自在に設けられるＣ字状のベルト連結鐶とを備え、前記ベルト連結鐶に取り付けられる背負いベルトが所定の角度より外側に拡がらないように、前記それぞれの回動部材の外向きの回転を規制するストッパ機構を備えており、前記ベルト連結鐶の縦杆と横杆のなすコーナ部の角度が、外側では鋭角で、内側では鈍角である背負いベルト取付け具。
【請求項２】
前記外側のコーナ部が４０〜７０度の鋭角で、内側のコーナ部が１００〜１３０度の鈍角である請求項１記載の背負いベルト取付け具。
【請求項３】
左右の背負いベルトの下端が、請求項１または２のいずれかに記載の背負いベルト取付け具によって底面に取り付けられているランドセル。
【発明の詳細な説明】
【技術分野】
【０００１】
本発明は背負いベルトの下ベルトをランドセルの底面に回動自在に連結するベルト取付け具およびランドセルに関する。
【背景技術】
【０００２】
図８に示すように、ランドセル１００の底面には、蓋１０１の止め金具１０２を施錠する錠前１０３の座金（ベース）１０４が固定されている。その座金１０４の両端には、背負いベルトの下ベルト１０５の下端を連結するためのベルト取付け具（いわゆるダルマ鐶）１０６が取り付けられている。ベルト取付け具１０６は、カップ状の本体１０７と、その本体に対して直径方向の軸周りに回動自在に連結されるＣ字状のベルト連結鐶１０８とを備えている。ベルト取付け具１０６の本体１０７は、ピン１０９によって座金１０４に回転自在に止着されている（特許文献１、特許文献２参照）。
【０００３】
特許文献３には、背負いベルトの上端を揺動自在のレバーを有する背環を介して背板の上部に取り付けたランドセルが記載されている。この背環は金属棒を平面視で三角形状ないし台形状に折曲げて形成している。それにより、左右の背負いベルトは下にいくに連れて拡がり、使用者の肩から脇にかけて掛けられ、ランドセルの下面側に至る。
【０００４】
特許文献４には、一対のベルト取付け具をランドセルの下面に取り付けたとき、ベルト連結鐶の横杆（接続部）が外側に向かって低くなるように一対の縦杆の長さを変えたベルト連結具が開示されている。このランドセルでは、使用者がランドセルを背負ったとき、背負いベルトの上端を支持する背環の横杆が傾斜しているのと相まって、一対の背負いベルトが外側に湾曲し、その中央部同士が互いに離反する形状になり、使用者の肩や背によくフィットし、捻れを防止できる、としている。
【０００５】
児童がランドセルを背負うとき、片方の背負いベルトに腕を通し、ついで他方の背負いベルトに残りの腕を通す。そのため、後で通す背負いベルトは図８および図９ａ、図９ｂの想像線で示すように横方向に拡がりやすい（矢印Ｐ参照）。そして下ベルト１０５がランドセルの側襠１１０側に移動した状態で使用していると、下ベルト１０５がランドセル１００の下端の角で屈曲され、曲がり癖がつく。そして一旦、曲がり癖がつくと、形が崩れて見苦しいだけでなく、背負いベルトがランドセルの側襠１１０側に一層移動しやすくなる。そのため背負いベルトが肩と密着せず、肩から外れやすくなる。特許文献４のように意図的に外側に湾曲させる場合も、背負いベルトが側襠側に一層ずれやすくなる。
【０００６】
本発明者はこのような問題を解決するため、先にベルト取付け具の回転範囲を制限し、下ベルトが側襠方向に移動しないようにストッパ機構（図１０の符号１１１）を設けたランドセルのベルト取付け具を提案した（特許文献５参照）。このものは下ベルトの側襠へのずれを防止し、下端の角との当接による曲がり癖を防止することができる。そのため、ランドセルは体への密着性が高くなり、児童が駆け出したときでもランドセルの左右の振れを抑制することができる。
【０００７】
しかしランドセルは６年間といった長期にわたって使用されるものである。そして教科書などの重量物を収容して背負ったり外したりする行為を長年にわたって繰り返すうち、図１０に示すように、下ベルトの折り返した端部Ｓ１がベルト連結鐶１０６の横杆１０６ａから外側の縦杆１０６ｂの側にずれ、下ベルト１０５が想像線Ｓの位置までずれることがわかった。これはベルト取付け具１０６がストッパ機構１１１で止められても、背負いベルト１０５が外向きにさらに引っ張られて外側にずれるためであり、さらにずれたり戻
ったりすることが繰り返されるためと推測される。そして背負った状態で外側にずれると、せっかくベルト取付け具の回動を規制していても、下ベルト１０５が側襠１１０側にずれてしまう。このような課題は従来知られていない。
【先行技術文献】
【特許文献】
【０００８】
【特許文献１】登録実用新案第３１５２９７３号公報
【特許文献２】登録実用新案第３１２４９０６号公報
【特許文献３】登録実用新案第３１１８０３１号公報
【特許文献４】実開昭６０−１９１２１７号公報
【特許文献５】特開２０１３−２１５５５０号公報
【発明の概要】
【発明が解決しようとする課題】
【０００９】
本発明は、ストッパ機構を備えているベルト取付け具において、背負いベルトの下端がベルト連結鐶の縦杆の側にずれにくいようにすることを技術課題としている。
【課題を解決するための手段】
【００１０】
本発明の背負いベルト取付け具は、ランドセルの底面に取り付けられるベースと、そのベースに対し垂直方向の軸回りに回動自在に設けた左右一対のカップ状の回動部材と、それぞれの回動部材に対し、回動中心と直交する軸の回りに揺動自在に設けられるＣ字状のベルト連結鐶とを備え、前記ベルト連結鐶に取り付けられる背負いベルトが所定の角度より外側に拡がらないように、前記それぞれの回動部材の外向きの回転を規制するストッパ機構を備えており、前記ベルト連結鐶の縦杆と横杆のなすコーナ部の角度が、外側では鋭角で、内側では鈍角であることを特徴としている。
【００１１】
このようなベルト取付け具においては、前記外側のコーナ部が８０度以下、とくに７０度以下の鋭角で、内側のコーナ部が１００度以上、とくに１１０度以上の鈍角であるのが好ましい。たとえば前記外側のコーナ部が４０〜７０度の鋭角で、内側のコーナ部が１００〜１３０度の鈍角であるのが好ましい。前記ベースは金属製であってもよく、合成樹脂製であってもよい。
【００１２】
本発明のランドセルは、左右の背負いベルトの下端が、前記いずれかの背負いベルト取付け具によって底面に取り付けられていることを特徴としている。
【発明の効果】
【００１３】
本発明の背負いベルト取付け具は、背負いベルトの下端を取り付る回動部材を所定の角度より外側に回転しないように規制するストッパ機構を備えているので、ランドセルが左右に揺れても、背負いベルトが外側に拡がらず、肩から脱落し難い。さらに背負いベルトの身体への密着性が高いので、児童が駆けたりしてもランドセルが背中から大きく離れない。また、左右の大きな揺れが抑制される。さらに前記ベルト連結鐶の縦杆と横杆のなすコーナ部の角度が、外側では鋭角で、内側では鈍角であるので、長期間使用しても、背負いベルトの下端が外側の縦杆の側にずれにくい。
【００１４】
前記外側のコーナ部が４０〜７０度の鋭角で、内側のコーナ部が１００〜１３０度の鈍角である場合は、背負いベルトの外側の縦杆へのずれをより確実に防止することができる。
【００１５】
本発明のランドセルは、背負いベルトの下端が、前述のいずれかのベルト取付け具によってランドセルの底面に取り付けられているので、ランドセルが左右に揺れても、背負い
ベルトの下ベルトは所定角度より外側に拡がらない。そのため、背負いベルトは肩から脱落し難い。さらに長期間使用しても、背負いベルトの下端がベルト連結具の外側の縦杆の方にずれにくい。
【図面の簡単な説明】
【００１６】
【図１】本発明の背負いベルト取付け具の一実施形態を示す平面図である。
【図２】図１の背負いベルト取付け具の一部切り欠き正面図である。
【図３】図２におけるストッパ機構を示す要部拡大断面図である。
【図４】図１の背負いベルト取付け具の組み立て前の斜視図である。
【図５】図４におけるプレートの下方から見た斜視図である。
【図６】図６ａ、図６ｂ、図６ｃはそれぞれ図５のプレートの平面図、正面図および側面図である。
【図７】図７ａは図５のプレートの底面図、図７ｂは図６ａのVII-VII線断面図である。
【図８】従来のランドセルの一実施形態を示す底面図である。
【図９】図９ａおよび図９ｂはそれぞれ図８のランドセルの要部側面図および要部背面図である。
【図１０】従来のベルト取付け具の要部拡大平面図である。
【発明を実施するための形態】
【００１７】
図１および図２に示す背負いベルト取付け具１０は、ランドセルの底面に取り付けられるベース１１と、そのベースに対して垂直方向の軸回りに回動自在に設けられるカップ状の回動部材１２と、その回動部材に対し、回動軸Ｊと直交する揺動軸Ｌ回りに揺動自在に設けられる台形状のベルト連結鐶１３とを備えている（図４参照）。ベルト連結鐶１３に下ベルトＢが連結される。この実施形態では、回動部材１２の回動範囲を規制するストッパ機構を、ベース１１に設けた係止部１５とその係止部と係合するように回動部材１２に設けた係合突起１６とによって構成している。
【００１８】
ベース１１は、回動部材１２を取り付ける座部１４に形成した係止部１５以外は従来のものとほぼ同一である。すなわちこのベース１１は、ベース本体２０と、そのベース本体の中央の底面側に取り付けられる錠前２１と、そのベース本体２０の上面から突出する平面視が横長矩形状の係合突起２２と、操作軸２３と、操作軸の上端に固定された摘み２４とを備えている。係合突起２２は、ランドセルの垂れ蓋の先端に取り付けられる止め金具２５の係止孔２６と嵌合する部位である。
【００１９】
ベース１１の両端の上面には、回動部材１２が回動軸３０によって回動自在に取り付けられている。回動部材１２は、ベース１１に形成した座部１４の上面を摺動する。座部１４は、図２および図４に示すように円形の凹部であり、上面は平坦である。座部１４の中央にはさらに円形凹部３１が形成されている。円形凹部の中央には、回動軸３０が貫通する孔３２が形成されている。回動軸３０の下端は円形凹部３１の底面側でカシメられ、あるいはワッシャで止められる。
【００２０】
係止部１５は、ベース１１の座部１４に形成した扇状に打ち抜いた開口３３と、その開口の端部から下向きに折曲げた折曲げ片３４とからなる（図３参照）。折曲げ片３４の背面側に角錐状ないし円錐状の補強リブを設けてもよい。折曲げ片３４に代えて角錐状ないし円錐状に突出させた曲げ起し片ないし切り起し片を設けることもできる。開口３３には、回動部材１２の下面側から突出する係合突起１６が挿入され、その係合突起が折曲げ片３４に当接することにより、回動部材１２の回動範囲を規制する。折曲げ片３４を設けず、単に開口３３の端縁に係合突起１６が当接するようにしてもよい。
【００２１】
前記回動部材１２は、図４に示すように、カップ状の形態を有する本体１２ａと、その中に回動しないように収容されるプレート３６とからなる。本体１２ａの上面中央には回動軸３０が貫通する中心孔３０ａが形成され、側壁にベルト連結鐶１３の軸端１３ａが貫通する横孔３０ｂが形成されている。回動部材１２の本体１２ａは従来公知のものであり、たとえば金属の薄板からプレス形成により製造することができる。
【００２２】
ベルト連結鐶１３は、平面視で台形状の形態を備え、図２に示すように、長さの異なる左右の縦杆１３ｂ、１３ｃと、それらの上端を斜めに連結する横杆１３ｄと、縦杆の下端から内向きに延びる前述の軸端１３ａとからなる。長い方の縦杆１３ｂは図１に示すようにランドセルの外側に配置され、短い方の縦杆１３ｃはランドセルの内側（中央側）に配置される。長い縦杆１３ｂと横杆１３ｄのなすコーナ部の角度θ１は、たとえば８０度以下、とくに４０〜７０度程度の鋭角であり、短い縦杆１３ｃと横杆ｄのなすコーナ部の角度θ２は、たとえば１００度以上、とくに１１０〜１３０度程度の鈍角である。縦杆１３ｂ、１３ｃ同士は略平行である。θ１＋θ２は１６０〜１９０度程度であってもよい。
【００２３】
ベルト連結鐶１３の全体は、従来と同様に鋼などの金属丸棒をプレス加工して形成される。縦杆１３ｂ、１３ｃは、デザイン上および左右方向の強度を高くするため、図１の紙面方向に加圧していくらか扁平にしている。横杆１３ｄは下ベルトＢの回動を妨げないようにするため、断面円形である。横孔３０ｂおよび後述するプレート３６（図４，図５参照）の溝４２で回動自在に支持される軸端１３ａも断面円形である。ベルト連結鐶１３は、回動部材１２に装着する前は、たとえば横杆１３ｄを湾曲させたり、コーナ部の角度を拡げるなどにより、軸端１３ａの先端同士の間隔を回動部材１２の胴部の径より拡げている。そして回動部材に装着してカシメ付けたとき、縦杆１３ｂ、１３ｃ同士がほぼ平行になるようにする。通常はカシメ付けのときの変形により、平行にならず、θ１＋θ２が１６０〜１９０度程度、とくに１７０度前後になることが多い。
【００２４】
図４および図５に示すように前記プレート３６は、円板状の底部３８と、その底部の上面側に突出する支持突起３９と、底部３８の底面側に突出する前述の係合突起１６とを備えており、合成樹脂の射出成型などで製造することができる。底部３８の上面周囲には、本体１２ａ内に嵌合する段部４１が形成されている。支持突起３９には、ベルト連結鐶１３の左右の軸端１３ａと弾力的に、かつ、ベルト連結鐶１３の揺動を損なわないように嵌合する溝４２が形成されている（図６ａ、図６ｃ参照）。溝４２の内面には、軸端１３ａが嵌合する円弧状の凹部４２ａ、４２ａが形成されている。そして本体１２ａの横孔３０ｂを通った軸端１３ａが支持突起３９の溝４２の凹部４２ａ、４２ａに嵌合することにより（図６ｂ、図６ｃ参照）、プレート３６は本体１２ａに対して相対的に回転しないように保持され、プレート３６と本体１２ａが一体となった回動部材１２が得られる。
【００２５】
図７ａ、図７ｂに示すように、支持突起３９の底面側は空洞３９ａが設けられ、中心には回動軸（図４の符号３０）を通す孔４３が設けられている（図５参照）。なお、回動軸３０は、回動部材１２を支持するほか、ベース１１をランドセルの底面に取り付ける機能を有し、その場合は回動軸３０の下端はベース１１の底面側、あるいはランドセルの内部で回動軸３０の回動を妨げない程度でカシメられる。
【００２６】
プレート３６の下面の係合突起１６は、平面視で略扇状で、正面視で矩形状を呈する（図５参照）。係合突起１６の側縁４６、４６は座部１４の折り曲げ片３４と係合する係止面である（図３参照）。係合突起１６の平面視の角度は２０〜５０度程度、とくに２５〜４５度程度である。開口３３の角度は６０〜１８０度程度、とくに８０〜１００度程度である。
【００２７】
ランドセルを包装箱に収容するとき、通常は下ベルトと上ベルトは連結を外し、下ベル
トＢを後側に回動させると共に（図８の想像線Ｎ参照）、上ベルトは垂れ蓋１０１の上面側に反転させ、上下のベルト同士を連結する。このような場合は、下ベルトＢは内側を通りながら背面側に回すことができるように、回動部材１２の回動角度を１８０〜２３０度程度とするのが好ましい。他方、包装箱に収容するときに下ベルトＢを蓋側に１８０度回動させず、蓋側に裏向きに反転させるか、あるいは背板側に回すようにしてもよい（想像線Ｎ１参照）。それらの場合は、回動部材１２の回動範囲は４５〜６０度程度で足りる。なお、これらの梱包状態では上ベルトと下ベルトは連結しなくてもよい。
【００２８】
図１、図２に示す下ベルトＢは、その先端近辺Ｂ１をベルト連結鐶１３の横杆１３ｄに巻き付けて折り返し、折り返した部位を鋲４７で残りの部位に鋲着する。さらに折り返した部位と残りの部位を糸４８で縫い合わせている。
【００２９】
上記のごとく構成される背負いベルト取付け具１０では、左側の回動部材１２が図１の時計方向（矢印Ｐ）に回動するとき、すなわちベルト連結鐶１３に係止された背負いベルトＢが外向きに拡がるように回動するとき、図３に示すように係合突起１６の係止面４６が折曲げ片３４に係合し、それ以上は回動しない。したがって回動部材１２は所定の角度以上、たとえば図８に示すランドセルの底面のコーナー近辺で停止し、それ以上は時計方向に回動しない。
【００３０】
図１に示すように下ベルトＢが矢印Ｐ方向に回動し，ストッパ機構でそれ以上の回動が規制される場合において、背負いベルトにさらに外側に拡げようとする力が加わった場合は、下ベルトＢは外側の長い縦杆１３ｂに強く当接し、その位置で止められる。さらに横杆１３ｄと長い縦杆１３ｂのなす角度が鋭角であるので、長期間に亘って下ベルトに拡げようとする力が繰り返し加わっても、縦杆１３ｂの側にずれることがなく、その位置に止めることができる。右側のベルト取付け具についても、背負いベルトの回動方向が対称である以外は左側の場合と同様である。そのため、背負いベルトが側襠の側に回り込むのを防止することができる。
【００３１】
前記実施形態では、ストッパ機構としてベース本体２０に形成した一個所の開口３３と、プレート３６の底面から突出する１個の係合突起１６との組合せを採用している。しかし図４および図５の想像線で示すように、開口３３と係合突起１６の組合せを回動中心に対して対称に、２個所に設けてもよい。さらに３個所以上に設けてもよい。また、座部１４の開口３３とプレートの係合突起１６からなるストッパ機構に代えて、他の形態のストッパ機構、たとえば特許文献５に開示されているラチェット機構や、ベースに形成した突起とプレートに形成した開口との組み合わせなど、種々のストッパ機構を採用することができる。
【００３２】
また、ベース本体２０や回動部材の本体１３ａを合成樹脂の成形品としてもよく、回動部材１３を本体１３ａとプレート１６の２部品とせずに一体成形品とすることもできる。
【符号の説明】
【００３３】
１０  背負いベルト取付け具
１１  ベース
１２  回動部材
１２ａ  本体
Ｊ  回動軸
Ｌ  揺動軸
Ｂ  下ベルト
Ｂ１  先端近辺
１３  ベルト連結鐶
１３ａ  軸端
１３ｂ  （外側の）長い縦杆
１３ｃ  （内側の）短い横杆
１３ｄ  横杆
１４  座部
１５  係止部
１６  係合突起
２０  ベース本体
２１  錠前
２２  係合突起
２３  操作軸
２４  摘み
２５  止め金具
２６  係止孔
３０  回動軸
３０ａ  中心孔
３０ｂ  横孔
３１  円形凹部
３２  孔
３３  開口
３４  折曲げ片
３６  プレート
３６ａ  回転軸
３７  パイプ
３８  底部
３９  支持突起
４１  段部
４２  溝
４３  孔
４６  係止面
４７  鋲
４８  糸
θ１  外側の縦杆と横杆とがなす角度
θ２  内側の縦杆と横杆とがなす角度
【図１】
2015144657.tif 000003
【図２】
2015144657.tif 000004
【図３】
2015144657.tif 000005
【図４】
2015144657.tif 000006
【図５】
2015144657.tif 000007
【図６】
2015144657.tif 000008
【図７】
2015144657.tif 000009
【図８】
2015144657.tif 000010
【図９】
2015144657.tif 000011
【図１０】
2015144657.tif 000012